(57)【要約】【課題】締付ナット及びフェルールを旧配管から外すことができ、締付ナット及びフェルールを新配管に嵌挿して繰り返し使用できるようにした管継手を提供する。【解決手段】継手本体１と、継手本体１の配管受入口２に外嵌螺合される締付ナット３と、配管受入口２に差し込まれる配管４に外嵌され、締付ナット３によって配管受入口２に向けて押圧移動せしめられる複数のフェルール５〜７とを備える。複数のフェルールは、前側フェルール５と、後側フェルール６と、これらの間に配置される中間フェルール７とからなる。中間フェルール７は、締付ナット３の締め付けにより後側フェルール６を介して前方に押されて前側フェルール５を継手本体１の配管受入口２内面と配管４外面との間に圧入させて密封シールを行わせると共に、それ自身は縮径して配管４を抜け止め抱持し、締付ナット３を緩めると拡径復元して配管４の抱持を解除する。【選択図】図１
2008291914.tif 000002
【特許請求の範囲】
【請求項１】
継手本体（１）と、継手本体（１）の配管受入口（２）に外嵌螺合される締付ナット（３）と、前記配管受入口（２）に差し込まれる配管（４）に外嵌されるとともに、前記締付ナット（３）の締め付けによって配管受入口（２）に向けて押し動かされる複数のフェルール（５〜７）とを備え、
前記複数のフェルール（５〜７）は、前側フェルール（５）と、後側フェルール（６）と、これらの間に配置される中間フェルール（７）とからなり、前記中間フェルール（７）は、前記締付ナット（３）の締め付けによって後側フェルール（６）を介して前方に押されて前側フェルール（５）を継手本体（１）の配管受入口（２）内面と配管（４）外面との間に圧入させて密封シールを行わせると共に、それ自身は縮径して配管（４）を抜け止め抱持し、締付ナット（３）を緩めると拡径復元して配管（４）の抱持を解除するように構成されていることを特徴とする管継手。
【請求項２】
前記前側フェルール（５）は、全体が円環状とされ、外面が前端から後端に向けて拡径する円錐面（５ａ）とされ、内面が軸線方向に平行な円筒面（５ｂ）とされ、この円筒面（５ｂ）の後部が後方に向けて拡径する円錐面（５ｃ）とされており、
前記後側フェルール（６）は、全体が円環状とされ、内面が軸線方向に平行な円筒面（６ａ）とされ、この円筒面（６ａ）の前部が前方に向けて拡径する円錐面（６ｂ）とされており、
前記中間フェルール（７）は、全体が割り環状とされ、内面が軸線方向に平行な円筒面（７ａ）とされ、外面が軸方向中央部から前端及び後端に向けてそれぞれ縮径する円錐面（７ｂ、７ｃ）とされていることを特徴とする請求項１に記載の管継手。
【請求項３】
前記中間フェルール（７）の外面の円錐面（７ｂ、７ｃ）は、前側フェルール（５）の内面後部の円錐面（５ｃ）及び後側フェルール（６）の内面前部の円錐面（６ｂ）に対応する円錐面とされていることを特徴とする請求項２に記載の管継手。
【請求項４】
前記後側フェルール（６）は、前記締付ナット（３）に一体的に設けられていることを特徴とする請求項１〜３の何れかに記載の管継手。
【発明の詳細な説明】
【技術分野】
【０００１】
本発明は、流体移送用配管の接続部に使用される管継手に関するものである。
【背景技術】
【０００２】
従来、図４に示すように、２個のフェルール１１、１２を嵌挿した配管１３を継手本体１４の受入口１５に差し込み、該受入口１５に締付ナット１６を外嵌螺合して締め付けることにより、前側のフェルール１１を受入口１５の内面と配管１３の外面との間に圧入させて密封シールさせると共に、後側のフェルール１２を前側のフェルール１１の内面と配管１３の外面との間にクサビ状に食い込ませて配管１３の抜け止めを行わせることによって継手本体１４に配管１３を接続するようにした管継手が知られている（例えば、特許文献１参照）。
【特許文献１】特開平１０−２８８２８７号公報
【発明の開示】
【発明が解決しようとする課題】
【０００３】
前記特許文献１の管継手は、配管１３の交換時、締付ナット１６を緩めて継手本体１４から配管１３を外しても、配管１３の抜け止めのために、後側のフェルール１２を配管１３に食い込ませているため、締付ナット１６及び２個のフェルール１１、１２を旧配管１３から外して新配管に嵌挿し、繰り返し使用することができなかった。
通常、締付ナット１６及び２個のフェルール１１、１２は、継手本体１４とセットで販売されており、締付ナット１６及び２個のフェルール１１、１２だけが別売りされている訳ではないため、配管１３の交換時には、継手本体１４を含めた管継手全体を購入して交換する必要があった。
【０００４】
本発明は、締付ナット及びフェルールを旧配管から外すことができ、締付ナット及びフェルールを新配管に嵌挿して繰り返し使用できるようにした管継手を提供することを目的としている。
【課題を解決するための手段】
【０００５】
前記目的を達成するために本発明は、継手本体と、継手本体の配管受入口に外嵌螺合される締付ナットと、前記配管受入口に差し込まれる配管に外嵌されるとともに、前記締付ナットの締め付けによって配管受入口に向けて押し動かされる複数のフェルールとを備え、
前記複数のフェルールは、前側フェルールと、後側フェルールと、これらの間に配置される中間フェルールとからなり、前記中間フェルールは、前記締付ナットの締め付けによって後側フェルールを介して前方に押されて前側フェルールを継手本体の配管受入口内面と配管外面との間に圧入させて密封シールを行わせると共に、それ自身は縮径して配管を抜け止め抱持し、締付ナットを緩めると拡径復元して配管の抱持を解除するように構成されている。
【０００６】
この構成によれば、継手本体と配管との接続時、締付ナットの締付けによって前側フェルールを継手本体の配管受入口内面と配管外面との間に圧入させて密封シールを行わせると共に、中間フェルールを縮径させて配管を抜け止め抱持させることができる。そして、締付ナットを緩めると中間フェルールが拡径復元して配管の抱持を解除させることができるため、旧配管から締付ナット及び全てのフェルールを外す（抜き取る）ことができ、新配管に装着して繰り返し使用することができる。
前記前側フェルールは、全体が円環状とされ、外面が前端から後端に向けて拡径する円錐面とされ、内面が軸線方向に平行な円筒面とされ、この円筒面の後部が後方に向けて拡径する円錐面とされており、そして、前記後側フェルールは、全体が円環状とされ、内面が軸線方向に平行な円筒面とされ、この円筒面の前部が前方に向けて拡径する円錐面とされており、さらに、前記中間フェルールは、全体が割り環状とされ、内面が軸線方向に平行な円筒面とされ、外面が軸方向中央部から前端及び後端に向けてそれぞれ縮径する円錐面とされている。
【０００７】
この構成によれば、締付ナットの締め付けによって後側フェルールを介して中間フェルールが前方に押されて前側フェルールを継手本体の配管受入口内面と配管外面との間に圧入させて密封シールを行わせると共に、中間フェルール自身は縮径して配管を抜け止め抱持し、締付ナットを緩めると拡径復元して配管の抱持を解除させることができる。
前記中間フェルールの外面の円錐面は、前側フェルールの内面後部の円錐面及び後側フェルールの内面前部の円錐面に対応する円錐面とされている。
この構成によれば、前側及び後側のフェルールと中間フェルールとの円錐面同士の接触を面接触として相互に損傷を防止し、耐久性を向上させ、反復使用を可能とできる。
【０００８】
前記後側フェルールは、前記締付ナットに一体的に設けられていてもよい。この構成によれば、部品点数を減らしつつ前記と同等の作用効果を得ることができる。
【発明の効果】
【０００９】
本発明によれば、締付ナット及びフェルールを旧配管から外すことができ、締付ナット及びフェルールを新配管に嵌挿して繰り返し使用できるようにした管継手を提供することができる。
【発明を実施するための最良の形態】
【００１０】
以下、本発明に係る管継手の実施形態を図面に基づいて説明する。
本発明の管継手は、図１〜図３に示すように、継手本体１と、継手本体１の配管受入口２に外嵌螺合される締付ナット３と、配管受入口２に差し込まれる配管４に外嵌されるとともに、締付ナット３の締め付けによって配管受入口２に向けて押し動かされる複数のフェルール５〜７とを備えている。
継手本体１の配管受入口２の外面には、雄ねじ１ａが形成されており、締付ナット３の内面には、前記雄ねじ１ａに螺合する雌ねじ３ａが形成されている。
【００１１】
締付ナット３の内面後部は、複数のフェルール５〜７を収容する環状凹部３ｂとされ、この環状凹部３ｂの後部に環状鍔部３ｃが内径側に突出させて形成されており、この環状鍔部３ｃの内面は配管４の挿通孔３ｄとされている。
継手本体１の配管受入部２の内面には、配管４の挿入孔１ｂが形成されており、この挿入孔１ｂの奥部には、挿入された配管４の位置決め段部１ｃが形成されている。また、挿入孔１ｂの入口側は、奥側から入口側に向けて拡径する円錐面１ｄとされている。
複数のフェルール５〜７は、前側フェルール５と、後側フェルール６と、これらの間に配置される中間フェルール７とからなっている。
【００１２】
前側フェルール５は、全体が円環状とされ、外面が前端から後端に向けて拡径する円錐面５ａとされ、内面が軸線方向に平行な円筒面５ｂとされ、この円筒面５ｂの後部が後方に向けて拡径する円錐面５ｃとされている。
また、後側フェルール６は、全体が円環状とされ、内面が軸線方向に平行な円筒面６ａとされ、この円筒面６ａの前部が前方に向けて拡径する円錐面６ｂとされ、外面も軸線方向に平行な円筒面６ｃとされている。
さらに、中間フェルール７は、全体が割り環状とされ、内面が軸線方向に平行な円筒面７ａとされ、外面が軸方向中央部から前端及び後端に向けてそれぞれ縮径する円錐面７ｂ、７ｃとされている。
【００１３】
中間フェルール７の外面の円錐面７ｂ、７ｃは、前側フェルール５の内面後部の円錐面５ｃ及び後側フェルール６の内面前部の円錐面６ｂに対応する円錐面とされている。
本発明の管継手の実施形態は、以上の構成からなり、継手本体１に配管４を接続する際には、図１、図２に示すように、締付ナット３の後端の挿通孔３ｄに配管４の端部を挿通する。この後、後側フェルール６、中間フェルール７、前側フェルール５を順番に配管４の端部に挿通し、この状態で配管４の端部を継手本体１の配管受入口２の挿入孔１ｂ内に挿入する。この場合、配管４の挿入深さは、配管４の端部が位置決め段部１ｃに当接するまでとする。
【００１４】
そして、締付ナット３を継手本体１の配管受入口２に向けて移動させ、締付ナット３の雌ねじ３ａを継手本体１の配管受入口２の雄ねじ１ａに螺合させて締め込んでゆく。これにより、各フェルール５〜７は、締付ナット３の環状凹部３ｂ内に収容され、続いて、後側フェルール６が締付ナット３の環状鍔部３ｃによって継手本体１側へ向けて押される。
そして、中間フェルール７は、締付ナット３の締め付けによって後側フェルール６を介して前方に押されて前側フェルール５を継手本体１の配管受入口２内面と配管４外面との間に圧入させて密封シール（例えば、水圧２０ｋｇ／ｃｍ2程度までの漏水防止）を行わせる。このシールは、継手本体１の配管受入口２内面の円錐面１ｄと配管４外面との間に前側フェルール５が圧入されて面接触することによってゴムパッキング無しで達成される。
【００１５】
これと共に、中間フェルール７自身は、割り環状であることと、外面の円錐面７ｂ、７ｃが前側フェルール５の内面後部の円錐面５ｃ及び後側フェルール６の内面前部の円錐面６ｂと面接触していることとによって、前後両側から締付ナット３の締付力が縮径分力として作用することとなり、縮径変形して配管４に密着し、その内面で配管４を抱持して抜け止めを行うことになる。
この中間フェルール７の内面は、円筒面７ａとしてあるため、配管４に食い込むことはなく、しかも、配管４を変形させることもないため、配管４を損傷させるなどの悪影響を与えることはない。
【００１６】
そして、締付ナット３を緩めると、中間フェルール７は、後側フェルール６を後方へ押し戻しつつ拡径復元して配管４の抱持を解除するに至る。
従って、中間フェルール７を後方に移動させて前側フェルール５から離すことができ、さらに、継手本体１の配管受入口２の円錐面１ｄから配管４とともに抜き出すことができる。
この後、各フェルール５〜７及び締付ナット３は、配管４から外すことができ、他の配管に装着して繰り返し使用することができる。
【００１７】
本発明の実施形態は、以上からなるが、本発明は、この実施形態にのみ制約されるものではなく、種々変形して実施することができる。例えば、後側フェルール６は、締付ナット３に一体的に設けられていてもよい。即ち、締付ナット３の環状鍔部３ｃを後側フェルール６とすればよい。この場合、環状鍔部３ｃの内周面である挿通孔３ｄの前部を前側に向けて拡径する円錐面とし、この円錐面を後側フェルール６の円錐面６ｂとして利用すればよい。この構成によれば、部品点数を減らしつつ前記実施形態と同等の作用効果を得ることができる。なお、継手本体１及び締付ナット３の外周部には、レンチ係止用の角形部が形成され、この角形部は、六角形でもよいが、八角形とすることができ、また、これら以外の多角形としてもよい。また、継手本体１、締付ナット３、配管４及び各フェルール５〜７は、全て金属製（例えば、ステンレス製その他）とすることができ、金属管の管継手に利用できる他、樹脂管に適用することもできる。
【図面の簡単な説明】
【００１８】
【図１】本発明に係る管継手の縦断側面図である。
【図２】図１の管継手の分解状態の縦断側面図である。
【図３】中間フェルールの概略斜視図である。
【図４】従来の管継手の縦断側面図である。
【符号の説明】
【００１９】
１    継手本体
２    配管受け口
３    締付ナット
４    配管
５    前側フェルール
６    後側フェルール
７    中間フェルール
【図１】
2008291914.tif 000003
【図２】
2008291914.tif 000004
【図３】
2008291914.tif 000005
【図４】
2008291914.tif 000006
【手続補正書】
【提出日】平成19年10月1日(2007.10.1)
【手続補正１】
【補正対象書類名】特許請求の範囲
【補正対象項目名】全文
【補正方法】変更
【補正の内容】
【特許請求の範囲】
【請求項１】
継手本体（１）と、継手本体（１）の配管受入口（２）に外嵌螺合される締付ナット（３）と、前記配管受入口（２）に差し込まれる配管（４）に外嵌されるとともに、前記締付ナット（３）の締め付けによって配管受入口（２）に向けて押し動かされる複数のフェルール（５〜７）とを備えた管継手において、
前記複数のフェルール（５〜７）は、前側フェルール（５）と、後側フェルール（６）と、これらの間に配置される中間フェルール（７）とからなり、
前記前側フェルール（５）は、全体が円環状とされ、外面が前端から後端に向けて拡径する円錐面（５ａ）とされ、内面が軸線方向に平行な円筒面（５ｂ）とされ、この円筒面（５ｂ）の後部が後方に向けて拡径する円錐面（５ｃ）とされており、
前記後側フェルール（６）は、全体が円環状とされ、内面が軸線方向に平行な円筒面（６ａ）とされ、この円筒面（６ａ）の前部が前方に向けて拡径する円錐面（６ｂ）とされており、
前記中間フェルール（７）は、全体が割り環状とされ、内面が軸線方向に平行な円筒面（７ａ）とされ、外面が軸方向中央部から前端及び後端に向けてそれぞれ縮径する円錐面（７ｂ、７ｃ）とされていると共に、
前記中間フェルール（７）は、前記締付ナット（３）の締め付けによって後側フェルール（６）を介して前方に押されて前側フェルール（５）を継手本体（１）の配管受入口（２）内面と配管（４）外面との間に圧入させて密封シールを行わせると共に、前記中間フェルール（７）自身は、
外面が軸方向中央部から前端及び後端に向けてそれぞれ縮径する円錐面（７ｂ、７ｃ）とされていることによって、前側フェルール（５）の後端の円錐面（５ｃ）と、後側フェルール（６）の前端の円錐面（６ｂ）とによって前後から縮径分力を受けて
縮径して配管（４）を抜け止め抱持し、締付ナット（３）を緩めると拡径復元して配管（４）の抱持を解除するように構成されていることを特徴とする管継手。
【請求項２】
前記中間フェルール（７）の外面の円錐面（７ｂ、７ｃ）は、前側フェルール（５）の内面後部の円錐面（５ｃ）及び後側フェルール（６）の内面前部の円錐面（６ｂ）に対応する円錐面とされていることを特徴とする請求項１に記載の管継手。
【請求項３】
前記後側フェルール（６）は、前記締付ナット（３）に一体的に設けられていることを特徴とする請求項１又は２に記載の管継手。
【手続補正２】
【補正対象書類名】明細書
【補正対象項目名】全文
【補正方法】変更
【補正の内容】
【発明の詳細な説明】
【技術分野】
【０００１】
本発明は、流体移送用配管の接続部に使用される管継手に関するものである。
【背景技術】
【０００２】
従来、図４に示すように、２個のフェルール１１、１２を嵌挿した配管１３を継手本体１４の受入口１５に差し込み、該受入口１５に締付ナット１６を外嵌螺合して締め付けることにより、前側のフェルール１１を受入口１５の内面と配管１３の外面との間に圧入させて密封シールさせると共に、後側のフェルール１２を前側のフェルール１１の内面と配管１３の外面との間にクサビ状に食い込ませて配管１３の抜け止めを行わせることによって継手本体１４に配管１３を接続するようにした管継手が知られている（例えば、特許文献１参照）。
【特許文献１】特開平１０−２８８２８７号公報
【発明の開示】
【発明が解決しようとする課題】
【０００３】
前記特許文献１の管継手は、配管１３の交換時、締付ナット１６を緩めて継手本体１４から配管１３を外しても、配管１３の抜け止めのために、後側のフェルール１２を配管１３に食い込ませているため、締付ナット１６及び２個のフェルール１１、１２を旧配管１３から外して新配管に嵌挿し、繰り返し使用することができなかった。
通常、締付ナット１６及び２個のフェルール１１、１２は、継手本体１４とセットで販売されており、締付ナット１６及び２個のフェルール１１、１２だけが別売りされている訳ではないため、配管１３の交換時には、継手本体１４を含めた管継手全体を購入して交換する必要があった。
【０００４】
本発明は、締付ナット及びフェルールを旧配管から外すことができ、締付ナット及びフェルールを新配管に嵌挿して繰り返し使用できるようにした管継手を提供することを目的としている。
【課題を解決するための手段】
【０００５】
前記目的を達成するために本発明は、継手本体と、継手本体の配管受入口に外嵌螺合される締付ナットと、前記配管受入口に差し込まれる配管に外嵌されるとともに、前記締付ナットの締め付けによって配管受入口に向けて押し動かされる複数のフェルールとを備えた管継手において、
前記複数のフェルールは、前側フェルールと、後側フェルールと、これらの間に配置される中間フェルールとからなり、
前記前側フェルールは、全体が円環状とされ、外面が前端から後端に向けて拡径する円錐面とされ、内面が軸線方向に平行な円筒面とされ、この円筒面の後部が後方に向けて拡径する円錐面とされており、そして、前記後側フェルールは、全体が円環状とされ、内面が軸線方向に平行な円筒面とされ、この円筒面の前部が前方に向けて拡径する円錐面とされており、さらに、前記中間フェルールは、全体が割り環状とされ、内面が軸線方向に平行な円筒面とされ、外面が軸方向中央部から前端及び後端に向けてそれぞれ縮径する円錐面とされていると共に、
前記中間フェルールは、前記締付ナットの締め付けによって後側フェルールを介して前方に押されて前側フェルールを継手本体の配管受入口内面と配管外面との間に圧入させて密封シールを行わせると共に、前記中間フェルール自身は、外面が軸方向中央部から前端及び後端に向けてそれぞれ縮径する円錐面とされていることによって、前側フェルールの後端の円錐面と、後側フェルールの前端の円錐面とによって前後から縮径分力を受けて縮径して配管を抜け止め抱持し、締付ナットを緩めると拡径復元して配管の抱持を解除するように構成されている。
【０００６】
この構成によれば、継手本体と配管との接続時、締付ナットの締付けによって前側フェルールを継手本体の配管受入口内面と配管外面との間に圧入させて密封シールを行わせると共に、中間フェルールを縮径させて配管を抜け止め抱持させることができる。そして、締付ナットを緩めると中間フェルールが拡径復元して配管の抱持を解除させることができるため、旧配管から締付ナット及び全てのフェルールを外す（抜き取る）ことができ、新配管に装着して繰り返し使用することができる。
【０００７】
また、前記構成によれば、締付ナットの締め付けによって後側フェルールを介して中間フェルールが前方に押されて前側フェルールを継手本体の配管受入口内面と配管外面との間に圧入させて密封シールを行わせると共に、中間フェルール自身は縮径して配管を抜け止め抱持し、締付ナットを緩めると拡径復元して配管の抱持を解除させることができる。
前記中間フェルールの外面の円錐面は、前側フェルールの内面後部の円錐面及び後側フェルールの内面前部の円錐面に対応する円錐面とされている。
この構成によれば、前側及び後側のフェルールと中間フェルールとの円錐面同士の接触を面接触として相互に損傷を防止し、耐久性を向上させ、反復使用を可能とできる。
【０００８】
前記後側フェルールは、前記締付ナットに一体的に設けられていてもよい。この構成によれば、部品点数を減らしつつ前記と同等の作用効果を得ることができる。
【発明の効果】
【０００９】
本発明によれば、締付ナット及びフェルールを旧配管から外すことができ、締付ナット及びフェルールを新配管に嵌挿して繰り返し使用できるようにした管継手を提供することができる。
【発明を実施するための最良の形態】
【００１０】
以下、本発明に係る管継手の実施形態を図面に基づいて説明する。
本発明の管継手は、図１〜図３に示すように、継手本体１と、継手本体１の配管受入口２に外嵌螺合される締付ナット３と、配管受入口２に差し込まれる配管４に外嵌されるとともに、締付ナット３の締め付けによって配管受入口２に向けて押し動かされる複数のフェルール５〜７とを備えている。
継手本体１の配管受入口２の外面には、雄ねじ１ａが形成されており、締付ナット３の内面には、前記雄ねじ１ａに螺合する雌ねじ３ａが形成されている。
【００１１】
締付ナット３の内面後部は、複数のフェルール５〜７を収容する環状凹部３ｂとされ、この環状凹部３ｂの後部に環状鍔部３ｃが内径側に突出させて形成されており、この環状鍔部３ｃの内面は配管４の挿通孔３ｄとされている。
継手本体１の配管受入部２の内面には、配管４の挿入孔１ｂが形成されており、この挿入孔１ｂの奥部には、挿入された配管４の位置決め段部１ｃが形成されている。また、挿入孔１ｂの入口側は、奥側から入口側に向けて拡径する円錐面１ｄとされている。
複数のフェルール５〜７は、前側フェルール５と、後側フェルール６と、これらの間に配置される中間フェルール７とからなっている。
【００１２】
前側フェルール５は、全体が円環状とされ、外面が前端から後端に向けて拡径する円錐面５ａとされ、内面が軸線方向に平行な円筒面５ｂとされ、この円筒面５ｂの後部が後方に向けて拡径する円錐面５ｃとされている。
また、後側フェルール６は、全体が円環状とされ、内面が軸線方向に平行な円筒面６ａとされ、この円筒面６ａの前部が前方に向けて拡径する円錐面６ｂとされ、外面も軸線方向に平行な円筒面６ｃとされている。
さらに、中間フェルール７は、全体が割り環状とされ、内面が軸線方向に平行な円筒面７ａとされ、外面が軸方向中央部から前端及び後端に向けてそれぞれ縮径する円錐面７ｂ、７ｃとされている。
【００１３】
中間フェルール７の外面の円錐面７ｂ、７ｃは、前側フェルール５の内面後部の円錐面５ｃ及び後側フェルール６の内面前部の円錐面６ｂに対応する円錐面とされている。
本発明の管継手の実施形態は、以上の構成からなり、継手本体１に配管４を接続する際には、図１、図２に示すように、締付ナット３の後端の挿通孔３ｄに配管４の端部を挿通する。この後、後側フェルール６、中間フェルール７、前側フェルール５を順番に配管４の端部に挿通し、この状態で配管４の端部を継手本体１の配管受入口２の挿入孔１ｂ内に挿入する。この場合、配管４の挿入深さは、配管４の端部が位置決め段部１ｃに当接するまでとする。
【００１４】
そして、締付ナット３を継手本体１の配管受入口２に向けて移動させ、締付ナット３の雌ねじ３ａを継手本体１の配管受入口２の雄ねじ１ａに螺合させて締め込んでゆく。これにより、各フェルール５〜７は、締付ナット３の環状凹部３ｂ内に収容され、続いて、後側フェルール６が締付ナット３の環状鍔部３ｃによって継手本体１側へ向けて押される。
そして、中間フェルール７は、締付ナット３の締め付けによって後側フェルール６を介して前方に押されて前側フェルール５を継手本体１の配管受入口２内面と配管４外面との間に圧入させて密封シール（例えば、水圧２０ｋｇ／ｃｍ2程度までの漏水防止）を行わせる。このシールは、継手本体１の配管受入口２内面の円錐面１ｄと配管４外面との間に前側フェルール５が圧入されて面接触することによってゴムパッキング無しで達成される。
【００１５】
これと共に、中間フェルール７自身は、割り環状であることと、外面の円錐面７ｂ、７ｃが前側フェルール５の内面後部の円錐面５ｃ及び後側フェルール６の内面前部の円錐面６ｂと面接触していることとによって、前後両側から締付ナット３の締付力が縮径分力として作用することとなり、縮径変形して配管４に密着し、その内面で配管４を抱持して抜け止めを行うことになる。
この中間フェルール７の内面は、円筒面７ａとしてあるため、配管４に食い込むことはなく、しかも、配管４を変形させることもないため、配管４を損傷させるなどの悪影響を与えることはない。
【００１６】
そして、締付ナット３を緩めると、中間フェルール７は、後側フェルール６を後方へ押し戻しつつ拡径復元して配管４の抱持を解除するに至る。
従って、中間フェルール７を後方に移動させて前側フェルール５から離すことができ、さらに、継手本体１の配管受入口２の円錐面１ｄから配管４とともに抜き出すことができる。
この後、各フェルール５〜７及び締付ナット３は、配管４から外すことができ、他の配管に装着して繰り返し使用することができる。
【００１７】
本発明の実施形態は、以上からなるが、本発明は、この実施形態にのみ制約されるものではなく、種々変形して実施することができる。例えば、後側フェルール６は、締付ナット３に一体的に設けられていてもよい。即ち、締付ナット３の環状鍔部３ｃを後側フェルール６とすればよい。この場合、環状鍔部３ｃの内周面である挿通孔３ｄの前部を前側に向けて拡径する円錐面とし、この円錐面を後側フェルール６の円錐面６ｂとして利用すればよい。この構成によれば、部品点数を減らしつつ前記実施形態と同等の作用効果を得ることができる。なお、継手本体１及び締付ナット３の外周部には、レンチ係止用の角形部が形成され、この角形部は、六角形でもよいが、八角形とすることができ、また、これら以外の多角形としてもよい。また、継手本体１、締付ナット３、配管４及び各フェルール５〜７は、全て金属製（例えば、ステンレス製その他）とすることができ、金属管の管継手に利用できる他、樹脂管に適用することもできる。
【図面の簡単な説明】
【００１８】
【図１】本発明に係る管継手の縦断側面図である。
【図２】図１の管継手の分解状態の縦断側面図である。
【図３】中間フェルールの概略斜視図である。
【図４】従来の管継手の縦断側面図である。
【符号の説明】
【００１９】
１    継手本体
２    配管受け口
３    締付ナット
４    配管
５    前側フェルール
６    後側フェルール
７    中間フェルール